(57)【要約】【課題】蓋を開けない状態でも電子レンジに入れて内容物を加熱することができ、蓋の開閉が容易であるのみならず確実な気密効果を得られる容器を提供する。【解決手段】飲食物を収容する容器本体１０、縁に結合溝を備えた蓋２０、蓋２０に装着されて容器本体１０の入口を気密に密閉させるパッキング材、容器本体１０の両側に突出する係止突起１１、蓋２０の両側に回転可能に設置されて係止突起１１に着脱可能に固定される取手４０で構成された密閉容器において、前記蓋２０の上部に形成されて下部へ凹入するレバー溝２１；該レバー溝２１の上下へ回転可能に装着されるレバー５０；該レバー溝２１に形成されて下部へ突出するボスおよび該ボスの内径に形成されて上下へ貫通する通気孔２３；前記レバー５０の下部へ突出して通気孔２３内に嵌められる突棒５１；該突棒５１の外径に装着されて通気孔２３を気密に密閉させるパッキング６０を含み、前記結合溝の肉厚がその一側辺の中心から両側末端へ行くほど漸次に厚くなるように形成する。【選択図】　　　　図１
2004113776.tif 000002
【特許請求の範囲】
【請求項１】
内容物を収容する容器本体（１０）、該容器本体（１０）の入口を覆いその縁全体に結合溝（３）を備えている蓋（２０）、該蓋（２０）に装着されて容器本体（１０）の入口を気密に密閉させるパッキング材（３０）、容器本体１０）の両側に突出する係止突起（１１）、蓋（２０）の両側に回転可能に設置されて係止突起（１１）に着脱可能に固定される取手（４０）を備える密閉容器において、
前記蓋（２０）の上部に形成されて下部へ凹入するレバー溝（２１）；該レバー溝（２１）に上下に回転可能に装着されるレバー（５０）；該レバー溝（２１）に形成されて下部へ突出するボス（２２）および該ボス（２２）の内径に形成されて上下へ貫通する通気孔（２３）；前記レバー（５０）の下部へ突出して通気孔（２３）内に嵌められる突棒（５１）；該突棒（５１）の外径に装着されて通気孔（２３）を気密に密閉させるパッキング（６０）をさらに備えることを特徴とする密閉容器。
【請求項２】
前記レバー溝（２１）の一方の側内部両側には軸溝（２１ａ）が形成され、前記レバー（５０）の両側には軸溝（２１ａ）に回転可能に嵌められる軸ピン（５０ａ）が突出して形成されていることを特徴とする請求項１記載の密閉容器。
【請求項３】
前記レバー溝（２１）の、前記軸溝（２１ａ）と反対側にはより深く凹入して指が嵌められるよう挿入溝（２４）が延長され、該レバー（５０）の、前記軸ピン（５０ａ）と反対側には挿入溝（２４）に位置する突起（５２）が突出していることを特徴とする請求項１記載の密閉容器。
【請求項４】
前記容器本体（１０）と蓋（２０）が実質的に透明体からなることを特徴とする請求項１記載の密閉容器。
【請求項５】
内容物を収容する容器本体（１０）、該容器本体（１０）の入口を覆いその縁全体に結合溝（３）を備えている蓋（２０）、該蓋（２０）に装着されて容器本体（１０）の入口を気密に密閉させるパッキング材（３０）、容器本体１０）の両側に突出する係止突起（１１）、前記蓋（２０）の両側に回転可能に設置されて係止突起（１１）に着脱可能に固定される取手（４０）で構成された密閉容器において、
前記蓋（２０）の縁に形成された結合溝（３）の肉厚が，その一側辺の中心（９ａ）から両側末端（９ｂ）へ行くほど漸次に厚くなるように形成されることを特徴とする密閉容器。
【請求項６】
前記結合溝（３）が取手（４０）の無い非係合部分ｂの末端（９ｂ）肉厚（Ｔ）と、取手（４０）がある係合部分ａ中心（９ａ）の肉厚（ｔ）との差異が０．３ｍｍ〜３ｍｍ範囲内になるよう形成されることを特徴とする請求項５記載の密閉容器。
【請求項７】
前記パッキング材（３０）が酸素吸収剤を含んでいることを特徴とする請求項１または５記載の密閉容器。
【発明の詳細な説明】
【０００１】
【発明の属する技術分野】
本発明は各種の内容物を入れて保管する容器に関し、より詳細には内容物を入れた容器の蓋を開けない状態でも直ちに電子レンジに入れて加熱でき、蓋の開封が容易であると共に気密効果が確実な密閉容器に関する。
【０００２】
【従来の技術】
一般的に、密閉容器は、おかず・野菜・果物・魚などの各種飲食物を入れて保管するもので、このような飲食物保管用密閉容器は、図７に示したとおり、上部が開口されて飲食物を収容する容器本体、該容器本体の入口を覆う蓋からなり、この際、前記容器本体と蓋は円形または四角形などの多様な形状に形成されている（たとえば、特許文献１、２）。
【０００３】
このような構造の最近の冷蔵庫用密閉容器において、容器本体を覆う蓋は単に容器本体を覆う機能に加えて内容物が外部空気と遮断されるようにして内容物の変質を防止することにより容器内の飲食物をより長期間保存できるよう蓋の内側内周周囲には天然ゴムやシリコンゴムなどのパッキング材と共に容器の上・下部を完全に係合できる係合手段（ｌｏｃｋｉｎｇ　ｍｅａｎｓ）も備えられている。
【０００４】
【特許文献１】
特開２０００−３０２１５６号公報（第４−５頁、第７図）
【特許文献２】
特開平１１−４３１６３号公報（第２−３頁、第５図）
【０００５】
【発明が解決しようとする課題】
しかし、このような飲食物保管用密閉容器において、図８および９に示したとおり、全体的に均一な外皮厚さ（Ｄ＝ｄ）で構成される容器本体１０の蓋２０に数個の係合手段が備えられている場合にも係合手段により係合される中間部とは異に係合手段がない縁両端部には容器本体１０の端部と蓋２０のパッキング材３０との間に若干の隙間（ｌ）が存在するようになる。よって、保管や携帯時に密閉容器が傾いたり覆られる場合、係合手段がない部位の容器本体１０と蓋２０との間の緩い隙間を通じて汁が外部へ漏れ出る場合が茶飯事であった。このような現象は密閉容器のサイズが大きい場合にはより甚だしく、キムチなど取り分けて汁類飲食物が多い韓国飲食物の特性上汁などの液体の漏れは周囲に芳しくない臭いを漂わせるのみならず空気の通過により飲食物が容易に変質される原因を提供している。
【０００６】
しかも、前記のとおりパッキング材で構成された飲食物保管用容器は、蓋を閉じた状態で電子レンジに入れて加熱すると、空気膨張により爆発の危険があるため、特に電子レンジに入れて飲食物を加熱する場合には必ず蓋を開けて別途の台所用ラップで容器本体をくるんだ後、ラップに数個の孔を開けた状態で電子レンジに入れて加熱しなければならないなどの煩わしく不便な問題点があった。
【０００７】
また、前述のとおり、従来には蓋を取り除いた状態で容器本体を電子レンジに入れて飲食物を加熱したため、加熱時に電磁波が飲食物に直接触れるようになるので、不安な問題点もあった。
【０００８】
しかも、従来の飲食物保管用密閉容器は、蓋を閉じると容器本体の内部がシリコンなどのパッキング材により密封されてほとんど真空状態に近くなるため、容器本体に入っている飲食物を取り出すために蓋を開けるとき容器本体内の真空吸入力により蓋が容易に開けられないなどの問題点もあった。
【０００９】
それで、このような複数の短所を完全に解決し得る密閉容器を開発するために多角度に努力を傾注しているが、今までは気密効果を完璧に得られ蓋が覆われて密封された状態でも直ちに加熱できる容器を低廉な単価で製作し得ない実情である。
【００１０】
本発明の主な目的は、前記のごとき従来の欠点を解消するために発明したもので、蓋の構造を変更することにより低廉でありながらも簡単な方式で完璧に気密されることができ、蓋を閉じた状態で直ちに電子レンジに入れて内容物を便利に加熱できるようにした密閉容器を提供することにある。
【００１１】
また、本発明の目的は、蓋を開けるとき容器本体の内部に外部空気が流れ込むようにして蓋を容易に開けられるようにした密閉容器を提供することにある。
【００１２】
【課題を解決するための手段】
前記目的を達成するために本発明による密閉容器は、蓋に通気孔が上下へ貫通されたレバー溝を形成し、前記レバー溝の通気孔に嵌められる突棒が備えられたレバーを回転可能に組立て、前記突棒に通気孔を気密に密閉させるパッキングを装着して構成される。
【００１３】
また、本発明では前記目的を達成するための密閉容器は、容器本体の縁端部と蓋の縁端部をより確実に加圧密着されるようにして一定の衝撃により容器が傾いたり覆られても容器内の汁が外部へ漏れ出られない程度に気密効果が確実であり、使用中に蓋の開閉により容器内に残存する空気から酸素を吸収することができるので、飲食物の腐敗を防止できるよう実用的に製造される。
【００１４】
本発明によれば、飲食物を収容する容器本体、容器本体の入口を覆いその縁全体に結合溝を備えている蓋、蓋に装着されて容器本体の入口を気密に密閉させ前記結合溝内に挿し込まれるパッキング材、容器本体の両側に突出する係止突起、蓋の両側に回転可能に設置されて係止突起に着脱可能に固定される取手で構成された密閉容器において、
前記蓋の上部に形成されて下部へ凹入するレバー溝；該レバー溝の上下に回転可能に装着されるレバー；前記レバー溝に形成されて下部へ突出するボスおよび該ボスの内径に形成されて上下へ貫通する通気孔；前記レバーの下部へ突出して通気孔内に嵌められる突棒；該突棒の外径に装着されて通気孔を気密に密閉させるパッキングを含むことを特徴とする。
【００１５】
また、前記蓋の縁に形成された結合溝の肉厚がその一側辺の中心から両側端へ行くほど漸次に厚くなるように形成されることをまた特徴とする。
【００１６】
本発明による密閉容器は、通常のものと同様に容器本体がステンレススチールまたはポリプロピレン（ＰＰ）、ポリエチレン（ＰＥ）などのポリオレフイン系樹脂やポリエチレンテレフタレート（ＰＥＴ）、ポリ炭酸エステル（ＰＣ）などの合成樹脂のうちから適宜に選択され、選択された材質によって射出乃至は圧出成型または金型などの通常方式で一体に形成される。このうちステンレススチールで製作される場合、環境ホルモンの発生はないが、値段が多少高価でありやや重い感じがあり、また、ポリオレフイン系樹脂でなる場合、値段が低廉な長点はあるが、掻かれ易いので容器表面に疵が生じ易い短所がある。反面、ポリ炭酸エステルの場合、このような短所がなく衝撃性が強く疵が容易に生じなく透明であるため、美観は秀麗であるが、環境ホルモンが多少放出される短所があることが判明し、最近には消費者の高級製品選好に因り多少高価ではあるが環境ホルモンの放出がないポリエチレンテレフタレート単独またはこれらの適切な混合物から成っている。蓋もやはり前記の材質で形成され、ステンレススチールを主にしてなる場合、その縁端部だけが本体とは異なる成分、例えば合成樹脂で形成されて密閉程度を一層高めることができるよう構成されたものでもよい。
【００１７】
前記蓋の結合溝に挿し込まれるパッキング材料は特に限定されなく、適合な例としては独立気泡を備えた樹脂またはゴムをあげることができるが、例えば、ポリエチレン、エチレン−アセト酸ビニール共重合体、エチレン−プロピレン共重合体、ポリプロピレンなどのポリオレフイン、ポリスチレン、塩化ビニール樹脂、ポリウレタン、スチレン−ブタジエンゴム、天然ゴムなどの発泡体が望ましい。その外に天然ゴム、ブタジエンゴム、スチレン−ブタジエンゴム、ニトリル−ブタジエンゴム、ポリウレタン、ブチルゴム、エチレン−プロピレンゴム、軟質塩化ビニール樹脂などからなるエラストマー（ｅｌａｓｔｏｍｅｒ）も適用可能である。
【００１８】
また、本発明における前記パッキング材は、酸素吸収剤が含まれている場合、密封効果と共に容器内の酸素を吸収して内容物の保存性をより一層高めることができるので、通常の還元性鉄、還元性亜鉛などの還元性を有する金属粉や酸化第一鉄、４，３酸化鉄などの金属低位酸化物、還元性金属化合物または多価フェノール含有高分子化合物などが単独または混合して適用されうる。
【００１９】
前記蓋の縁に形成される結合溝の厚さは、非係合部分の末端肉厚と係合部分の中心肉厚との差は０．３ｍｍ〜３ｍｍ範囲内でなければならない。前記厚さの差があまり大きい場合、蓋末端に挿し込まれたパッキング材が外部へ多く突出されるに従って加圧密着するに多くの力を要し、前記厚さの差があまり小さいときには密着力が弱まるので、前記範囲内が望ましい。
【００２０】
【発明の実施の形態】
以下、添付図面を参照して本発明の技術的構成を詳細に説明する。
【００２１】
本発明の飲食物保管用密閉容器Ａの第１具体例は、まず、図１〜３に図示したとおり、内容物、主に飲食物を収容する容器本体１０、該容器本体１０の入口を覆い縁にパッキング材挿入用の結合溝３を有する蓋２０、該蓋２０に装着されて容器本体１０の入口を気密に密閉させるパッキング材３０、前記容器本体１０の両側に突出する係止突起１１、蓋２０の両側に回転可能に設置されて係止突起１１に着脱可能に固定される取手４０で構成され、前記蓋２０の上部に形成されて下部へ凹入するレバー溝２１、該レバー溝２１の上下に回転可能に装着されるレバー５０、前記レバー溝２１に形成されて下部へ突出するボス２２および該ボス２２の内径に形成されて上下へ貫通する通気孔２３、前記レバー５０の下部へ突出して通気孔２３内に嵌められる突棒５１、該突棒５１の外径に装着されて通気孔２３を気密に密閉させるパッキング６０を含んでいる。
【００２２】
ここで、前記容器本体１０と蓋２０は、前記のとおり、四角形または円形などの多様な形状で形成されるものであることを明記しておく。すなわち、添付図面においては参考的に容器本体１０と蓋２０が四角形で形成されたものを図示したが、前述のとおり、本発明はこれに限定されるものではなく、容器本体１０と蓋２０は円形・楕円形などの多様な形状で形成されうる。
【００２３】
そして、前記容器本体１０と蓋２０は、内部の飲食物を容易に見られるよう実質的に透明体でなり、また、このような容器本体１０と蓋２０は電子レンジに入れたとき高温でも環境ホルモンが全く発生しないよう前記のとおり通常幼児の乳瓶を作るときに用いられる１００％無毒性の材質、例えばポリエチレンテレフタレート単独またはこれらの適正混合物などからなる。
【００２４】
本発明による前記密閉容器Ａの容器本体１０は飲食物を収容するもので、このような容器本体１０の上部入口は開口され、蓋２０は結合時に容器本体１０に挿し込まれる内周突出部４ａと容器本体１０外部に位置する外周突出部４ｂをその縁に備えており、それらの間に結合溝３を形成しており、容器本体１０の両側には係止突起１１が一体的に突出し、また、この係止突起１１は対応する取手４０に合わせて前後および／または左右両側に多数個備えられる。前記取手４０は図１や図８に示したとおりの方式で係合されることもでき、その他の通常の異なる係合構造によっても形成されうる。
【００２５】
前記蓋２０は容器本体１０の入口を覆うもので、このような蓋２０の上部には下部へ適正深さに凹入するレバー溝２１が形成され、該レバー溝２１には下部へ突出するボス２２が一体に形成され、該ボス２２の中央内部には上下に連通する通気孔２３が形成される。
【００２６】
前記レバー溝２１の一方の側内部両側には軸溝２１ａが形成され、該レバー溝２１の、前記軸溝２１ａと反対側にはより深く凹入されて指が嵌められるよう挿入溝２４が延長される。この際、挿入溝２４を形成した理由はレバー５０をより便利に回転させて開かれるようにするためである。
【００２７】
前記パッキング材３０は容器本体１０の入口を気密に密閉させるもので、このようなパッキング材３０は蓋の下部縁の結合溝３に装着される。
【００２８】
前記取手４０は蓋２０の両側に回転可能に設置されるもので、容器本体１０の両側係止突起１１に着脱可能にそれぞれ固定される。
【００２９】
前記レバー５０はレバー溝２１に回転可能に組立てられて通気孔２３を開閉させるもので、このようなレバー５０の下部には通気孔２３内に嵌められる突棒５１が一体に形成され、レバー５０の両側にはレバー溝２１の軸溝２１ａに回転可能に嵌められる軸ピン５０ａが突出し、レバー５０の、前記軸ピン５０ａと反対側にはレバー溝２１の挿入溝２４に位置する突起５２が突出する。
【００３０】
前記パッキング６０は突棒５１に装着されるもので、このようなパッキング６０は通気孔２３の内径に気密に密着されて通気孔２３を完璧に密閉させる。
【００３１】
このように構成された本発明の第１具体例における全体的な作動関係を詳細に説明する。
【００３２】
まず、図２（ａ）におけるとおり、レバー５０を下部へ回転させ押して閉じるとレバー５０の下部に形成された突棒５１が通気孔２３内に嵌められ、突棒５１に装着されたパッキング６０が通気孔２３の内径に気密に密着されながら通気孔２３を密閉させるため、この状態では容器本体１０の内部と外部との空気が通じないよう通気孔２３は閉鎖される。
【００３３】
つぎに、図２（ｂ）におけるとおり、レバー５０を上部へ回転させて開けると突棒５１が一体に回転しながら通気孔２３から抜き出るため、この状態では容器本体１０の内部と外部との空気が通じるよう通気孔２３が開放される。
【００３４】
このような本発明は、図２（ｂ）におけるとおり、蓋２０に設置されたレバー５０を開けて通気孔２３を開放させると容器本体１０内の圧力が通気孔２３を通じて外部へ排出されるため、蓋２０を開けなくても簡単にレバー５０を開放させた状態で直ちに電子レンジに入れて便利に飲食物を加熱することができる利点がある。
【００３５】
また、本発明による密閉容器Ａは、蓋２０を閉じた状態で電子レンジに入れて飲食物を加熱することができるため、調理時に電子波が飲食物に直接触れないので、安心して使用することができる利点もある。
【００３６】
併せて、本発明では蓋２０を開けるとき、図２ｂにおけるとおり、レバー５０を開放させると外部の空気が通気孔２３を通じて容器本体１０内に流れ込み容器本体１０内の真空状態が解除されるため、蓋２０を容易に開けることが出きる利点がある。
【００３７】
そして、本発明では容器本体１０と蓋２０が透明体でなるため、内部の飲食物を容易に見られる長点があり、特に容器本体１０と蓋２０が無毒性材質でなるため、電子レンジに入れて高温で加熱しても環境ホルモンが全く発生しない利点がある。
【００３８】
一方、蓋２０を閉じるとき、図２におけるとおり、レバー５０を押して閉じて通気孔２３を閉鎖させると、外部の空気が容器本体１０内に流れ込むのが遮断されるため、容器本体１０を気密に密閉させることができる。
【００３９】
また、本発明による第２具体例の密閉容器Ａによれば、前記結合溝３は、図７、図６（ａ）および６（ｂ）に示したとおり、蓋２の一側辺の縁で係止突起１１がある中心９ａ部位の肉が最も薄くその末端９ｂへ行くほど漸次に厚くなるように形成される。すなわち、実質的に加圧力と密着力を考慮して前記蓋２０縁の結合溝３において係合部分ａの中心９ａと非係合部分ｂの末端９ｂの肉厚は０．３ｍｍ〜３ｍｍの差が出るように形成される。
【００４０】
前述のごとき構造で形成された前記蓋２０の結合溝３には、図６（ａ）に示したとおり、適正厚さのパッキング材３０が全周囲に亘って挿し込まれて結着される。
【００４１】
このようにして形成された蓋２０は内容物を入れた容器本体１０の上に位置し、取手４０が容器本体１０の係止突起１１に係止されるよう蓋２０全体に所定の力が加えられて加圧されると、前記蓋２０の係合部分ａにおけるパッキング材３０は非係合部分ｂのパッキング材３０より緩く圧着されて係合部分ａのパッキング材厚さＸは非係合部分ｂ末端９ｂのパッキング材厚さＹよりもっと厚くなる。
【００４２】
これは加圧力が同一に作用しても前記蓋２０の縁の結合溝３で中心９ａより末端における結合溝３の肉厚がもっと厚いため、非係合部分ｂの末端９ｂにおけるパッキング材がもっと外部へ突出することにより容器本体１０の端部６ともっと強く圧着されてその嵩がもっと多く減るためである（図４、図６（ａ）および図６（ｂ）参照）。
【００４３】
それゆえに、容器本体１０と蓋２０は、相互完全に気密状態でなるべく結合されうるようになり、この際、前記パッキング材３０に酸素吸収剤が含まれている場合、結合している間に滲入した酸素を吸収することができるため、密閉容器Ａに入っている内容物は長期間保管可能になる。
【００４４】
本発明による密閉容器Ａが円筒型である場合にも前記と同様に蓋２縁の各取手４０の中心９ａを基準として蓋２縁の両側末端９ｂへ行くほど結合溝３の肉厚が厚くなるように構成して前記結合溝３に結着されたパッキング材３０のうち前記末端９ｂ部分におけるパッキング材３０部分が容器本体１０の端部６との加圧時にもっと多く押圧されるようにすることにより小さな隙間もなく容器は全体的に完全に気密状態に維持されるようになる。
【００４５】
【発明の効果】
以上で考察して見たとおり、本発明は蓋を開けなかった状態で直ちに電子レンジに入れて内容物を便利に加熱することができ、また、蓋を開けるとき容器本体の内部に外部空気が流れ込むので蓋を容易に開けることができ、電子波が直接飲食物に触れないので安心して使用することができる非常に有用な発明である。
【００４６】
しかも、本発明による密閉容器によれば、容器本体と蓋との間に隙間が全く生じないため、キムチなど汁のある飲食物が収容される場合にも汁が漏れ出ないので、運搬および貯蔵が便利であり、また、容器内の酸素を吸収することができるため、飲食物を気密状態で確実に維持できるので、飲食物の保管期間を延長することができる。
【００４７】
また、本発明による密閉容器は製作が容易であるため、低廉な単価で製造することができ、耐久性が優れて非常に経済的である。
【図面の簡単な説明】
【図１】図１は本発明による密閉容器の第１具体例の主要部を抜粋した分解斜視図である。
【図２】図２（ａ）および図２（ｂ）は図１に例示した第１具体例の作動状態を示した断面図である。
【図３】図３は図１の結合状態を示した斜視図である。
【図４】図４は本発明の第２具体例の密閉容器における蓋の拡大横断面図である。
【図５】図５は本発明の第２具体例による密閉容器の構造を分かり易く分離して示した斜視図である。
【図６】図６（ａ）および図６（ｂ）は、それぞれ図４に示した蓋を、密閉容器と結合させる前および結合させたときの状態を示す横断面図である。
【図７】図７は従来の典型的な密閉容器の構造を示した概略斜視図である。
【図８】図８は図７のＩ−Ｉ線に沿って取られた従来の密閉容器における蓋部分だけの横断面図である。
【図９】図９は図８の蓋が容器本体と結合したときを示した拡大横断面図である。
【符号の説明】
３　　結合溝
４ａ　内周突出部
４ｂ　外周突出部
６　　容器本体端部
９ａ　中心
９ｂ　末端
１０　　容器本体
１１　　係止突起
２０　　蓋
２１　　レバー溝
２１ａ　軸溝
２２　　ボス
２３　　通気孔
３０　　パッキング材
４０　　取手
５０　　レバー
５０ａ　軸ピン
５１　　突棒
５２　　突起
６０　　パッキング
ｔ　　蓋における係合部分の中心肉厚
Ｔ　　蓋における非係合部分の末端肉厚
Ｘ　　係合部分中心のパッキング材厚さ
Ｙ　　非係合部分末端のパッキング材厚さ
【図１】
2004113776.tif 000003
【図２】
2004113776.tif 000004
【図３】
2004113776.tif 000005
【図４】
2004113776.tif 000006
【図５】
2004113776.tif 000007
【図６】
2004113776.tif 000008
【図７】
2004113776.tif 000009
【図８】
2004113776.tif 000010
【図９】
2004113776.tif 000011